(57)【要約】  おむつ若しくは失禁ガードのような吸収性衣類（１０）、前記衣類は、長手方向（ｙ）及び横方向（ｘ）を有し、第１主部パネル（１１）、第２主部パネル（１２）及びそれらの間に股部（１３）を含んでなり、各前記第１及び第２パネルは腰部（１１ａ、１２ａ）を有する。前記吸収性衣類（１０）はさらに第１主部パネル（１１）の腰部（１１ａ）に取り付けられたベルトセクション（１４ａ、１４ｂ）を備え、吸収性衣類（１０）の使用者の腰の周りに包まれ、第１固定手段（１７）の方法により互いに固定されるように適合される。吸収性衣類はパンツ様の形状となるように、前記第２主部パネルはその腰部（１２ａ）で、少なくとも１つのベルトセクション（１４ａ、１４ｂ）に固定されて適合される第２固定手段（１９）に備えられる。ここに記載されているように周期的腰拡大テスト装置（２５）上でテストされる場合、吸収性衣類（１０）は、少なくとも１０拡大及び収縮サイクルの周期的な腰拡大テストの間、及び少なくとも１０拡大及び収縮サイクルの周期的な腰拡大テストを受けた後、少なくとも３０秒間、周期的な腰拡大テスト装置（２５）上でその初期位置から１５ｃｍを超えてずり落ちない。
2010504143.tif 000002
【特許請求の範囲】
【請求項１】
おむつ若しくは失禁ガードのような吸収性衣類（１０）、前記衣類は、長手方向（ｙ）及び横方向（ｘ）を有し、第１主部パネル（１１）、第２主部パネル（１２）及びそれらの間に股部（１３）を含んでなり、各前記第１及び第２パネルは腰部（１１ａ、１２ａ）を有し、前記吸収性衣類（１０）はさらに第１主部パネル（１１）の腰部（１１ａ）に取り付けられたベルトセクション（１４ａ、１４ｂ）を備え、吸収性衣類（１０）の使用者の腰の周りに包まれ、第１固定手段（１７）の方法により互いに固定されるように適合され、吸収性衣類はパンツ様の形状となるように、前記第２主部パネルはその腰部（１２ａ）で、少なくとも１つのベルトセクション（１４ａ、１４ｂ）に固定されて適合される第２固定手段（１９）に備えられる吸収性衣類（１０）であって、ここに記載されているように周期的腰拡大テスト装置（２５）上でテストされる場合、吸収性衣類（１０）は、少なくとも１０拡大及び収縮サイクルの周期的な腰拡大テストの間、及び少なくとも１０拡大及び収縮サイクルの周期的な腰拡大テストを受けた後、少なくとも３０秒間、周期的な腰拡大テスト装置（２５）上でその初期位置から１５ｃｍを超えてずり落ちないことを特徴とする吸収性衣類（１０）。
【請求項２】
前記ベルトセクション（１４ａ、１４ｂ）は、横（ｘ’）及び長手（ｙ’）方向を有し、及び少なくとも１つのベルトセクション（１４ａ、１４ｂ）は少なくとも１つの弾性パネルを含み、ベルトセクション（１４ａ、１４ｂ）の初期の非伸長状態で測定して、それの横方向（ｘ’）にベルトセクション（１４ａ、１４ｂ）の長さの２５％まで、好ましくは全ベルトセクション長さの１５％を超えないで、最も好ましくは全ベルトセクション長さの１０％を超えないことを特徴とする請求項１に記載の吸収性衣類（１０）。
【請求項３】
前記少なくとも１つの弾性パネル（１８）は、弾性フィルム、弾性不織布、ストレッチ活性ラミネート、ストレッチボンドラミネート、ネックボンドラミネートのような弾性ラミネート、ウェブ材料の間に収縮的に取り付けられる弾性糸又は非弾性不織布層が弾性フィルム層にラミネートされ、前記ラミネートが、非弾性層が破れる様に不織布材料の失敗点を超えて伸ばされるラミネートを含むことを特徴とする請求項２に記載の吸収性衣類（１０）。
【請求項４】
少なくとも１つの弾性パネル（１８）は、少なくとも１つの弾性フィルム層及び少なくとも１つの不織布層を含む弾性ラミネートを含み、前記層は超音波接合、接着接合又は押出接合、又は前記接合方法の組み合わせを使用した接合がなされていることを特徴とする請求項２に記載の吸収性衣類（１０）。
【請求項５】
前記吸収性衣類（１０）は、周期的腰拡大テスト装置（２５）上の初期位置から、少なくとも１０拡大及び収縮サイクルの周期的な腰拡大テストの間、及び少なくとも１０拡大及び収縮サイクルの周期的な腰拡大テストを受けた後、少なくとも３０秒間、１０ｃｍを超えてずり落ちず、最も好ましくは７ｃｍを超えないことを特徴とする請求項１乃至請求項４に記載の吸収性衣類（１０）。
【請求項６】
前記ベルト（１４）は、主部パネル（１１，１２）の対向側に接続されている、対向して横方向に延在するベルトセクション（１４ａ、１４ｂ）を含み、少なくとも１つのベルトセクション（１４ａ、１４ｂ）は、少なくとも１つの弾性パネル（１８）を含み、その基部端は、前記少なくとも１つの弾性パネル（１８）を含む少なくとも１つのベルトセクション（１４ａ、１４ｂ）が取り付けられる主部パネル（１１、１２）の周辺長手端（２２）の５ｃｍ以内、好ましくは３ｃｍ以内に配置されることを特徴とする請求項１乃至請求項５に記載の吸収性衣類（１０）。
【請求項７】
前記、若しくは各弾性パネルは、その横方向（ｘ’）でベルトセクション（１４ａ、１４ｂ）の長さに沿って、ベルトセクション（１４ａ、１４ｂ）の初期非伸長状態で測定して、１〜１５ｃｍ延在することを特徴とする請求項２乃至請求項６に記載の吸収性衣類（１０）。
【請求項８】
その横方向（ｘ’）の各ベルトセクション（１４ａ、１４ｂ）の長さが、ベルトセクション（１４ａ、１４ｂ）の初期非伸長状態で測定して、２５から５５ｃｍまでであることを特徴とする請求項１乃至請求項７に記載の吸収性衣類（１０）。
【請求項９】
その長手方向（ｙ’）のベルト（１４）の幅が５０から１６０ｍｍまでであることを特徴とする請求項１乃至請求項８に記載の吸収性衣類（１０）。
【請求項１０】
ベルト付吸収性衣類（１０）を、輪郭付プレートのような、機械的に使用者の腰若しくはヒップをシミュレートすることを意図した、移動可能な機械的部材（２６，２８）の周りに固定する工程、使用者の腰が彼／彼女が動くように拡大及び収縮をシミュレートするために、前記部材（２６、２８）を互いに離れるように動かすこと、例えば駆動手段（２７，２９）を使用すること、及び、それらをそれらの初期位置（Ｘ１）に戻すように動かすこと、を含むことを特徴とする使用の際にどの程度上手くベルト付吸収性衣類（１０）が使用者の腰に止まっていられるかを決定する方法。
【請求項１１】
前記移動可能な部材（２６、２８）を互いに離れるように動かすこと及びそれらの初期位置（Ｘ１）に戻すように動かすことを複数回繰り返す肯定を含むことを特徴とする請求項１０に記載の方法。
【請求項１２】
ベルト付吸収性衣類（１０）に錘を加える工程を含むことを特徴とする請求項１０乃至請求項１１のいずれかに記載の方法。
【請求項１３】
移動可能な機械的部材（２６，２８）上で明確にマークされた初期位置に、ベルト付吸収性衣類（１０）を配置する工程、ベルト付吸収性衣類を移動可能な機械的部材（２６，２８）の辺りに、予め定められた力（Ｆ）を使用してベルトを伸ばすことによって固定すること、股部（１３）及び主部パネル（１１，１２）を移動可能な機械的部材（２６，２８）の辺りに包み、第２主部パネル（１２）を少なくとも１つのベルトセクション（１４ａ、１４ｂ）の外部表面に固定する工程、予め定められた錘（３４）をベルト付吸収性衣類（１０）に追加する工程、移動可能な機械的部材（２６，２８）を、予め定められた速度（Ｖ）で、予め定められた回数（Ｎ）、予め定められた距離（Ｘ２−Ｘ１）に離して戻す工程、並びに最終の拡大及び収縮サイクルが完了した後、予め定められた時間その初期位置からのベルト付吸収性製品（１０）の位置を記録する工程を含むことを特徴とする請求項１０乃至請求項１１のいずれかに記載の方法。
【請求項１４】
前記、若しくは各拡大及び収縮サイクルの間、下方ずれ量を決定するために、前記移動可能部材（２６，２８）上、若しくは近接して、垂直スケール（３８）を提供する工程を含むことを特徴とする請求項１０乃至請求項１３のいずれかに記載の方法。
【請求項１５】
請求項１０乃至請求項１４のいずれかに記載の工程が、品質管理測定として、前記製造工程が正しく稼動することを確認することを特徴とする請求項１乃至請求項９のいずれかに記載のベルト付吸収性衣類の製造方法。
【請求項１６】
製造されたベルト付吸収性衣類（１０）を提供する工程又はどのくらい上手く前記ベルト付吸収性衣類（１０）が使用の際に使用者の腰に止まっているかを示す情報及び／又はパラメーターを伴ってパッケージする工程を含むことを特徴とする請求項１乃至請求項１０のいずれかに記載のベルト付吸収性衣類の製造方法。
【発明の詳細な説明】
【技術分野】
【０００１】
本発明は使用者の腰周りに吸収性衣類を取り付けるための固定手段の一部としてのベルトを含む吸収性衣類、例えば大人又は子供向けのおむつ又は失禁ガードに関する。また、本発明は、そのようなベルト付吸収性衣類を製造及びテストするための方法にも関する。
【背景技術】
【０００２】
ベルト付吸収性衣類は、一般に使用者の腹部に当てられるように適合されたフロント主部パネル、使用者の背中に当てられるように適合されたバック主部パネル、（訳抜けには気をつけてください）及び使用者の脚の間にある使用者の股間にわたって延在するように適合される股部を含む。ベルト付吸収性衣類はさらに、バック主部パネルの腰部に取り付けられた対向して横に延在するベルト部を備える。ベルト部は、衣類の使用者の腰周りを包むように適合され、共に固定され、その後に、衣類がパンツのような形状を呈するように、フロント主部パネルがベルトの外側表面に固定される。ベルト付吸収性衣類の例は、例えば特許文献１、特許文献２、特許文献３及び特許文献４に見受けられる。
【０００３】
使用者は動きまわる（すなわち、食べる、呼吸する、くしゃみをする、歩くなど）ので、使用者の腰の外周は広がったり、収縮したりして、結果的にはベルト部はぴんと張ったり緩んだりしているということになる。ベルト部の繰り返される又は過大な拡張及び収縮は、ベルト部材の永久的な変形に繋がり得て、よってベルトの長さが不可逆的に増大した状態になり、それは吸収衣類が使用者の腰からずり落ちて、最悪の場合、使用者から脱げてしまう結果となりうる。
【０００４】
全体的に弾性材料で作られたベルトを吸収性衣類に備えることは知られているが、弾性材料は通常非弾性材料よりも高価であり、固定手段、例えばフック、を弾性材料に取り付けることははるかに難しく、使用者にとって弾性ベルトは、非弾性ベルトを取り扱うのと同じように易しいわけではない。部分的に弾性ベルトを備える吸収性衣類、すなわちベルトが少なくとも１つの弾性パネルを備えている吸収性衣類もまた例えば、特許文献５及び特許文献６を通じて知られている。しかしながら周知のベルト付吸収性衣類は、繰り返され又は過大な拡張及び収縮を受けた場合に、使用者の腰からずり落ちる傾向がある。
【０００５】
使用者がベルト付吸収性衣類を購入する場合、人は吸収性衣類のベルトが使用したときに、従来技術に従ったテスト方法はそのような情報を提供しないので、どのくらいその元の外周を維持するか、及び、どのくらいベルト付吸収性衣類がそのままの状態に保てるかを予測することはできない。周知のテスト方法においてはベルト付吸収性衣類を構成する生地から切り取られた試験標本のみがテストされる。
特許文献７、例えば、特定の伸張した生地において、生地の伸張及び回復特性を決定する方法を開示する。その方法は、生地テスト片を締め具枠に据えること、及び伸張装置中にその生地テスト片と一緒に締め具枠を据えることの工程を含む。生地は、それを予め定められた速度で、予め定められた回数曲げることによって変形させられる。その特許はさらにそれらの通常の使用における伸張及び回復特性をシミュレートするための装置を開示する。その装置は、生地の試験片を保持して支持するための締め具装置、そばに生地が配置される半球形のブロック、横方向に生地を伸張するためにその半球形のブロックを動かすために配置されたギア付のモーター及びクランクを含む。生地テスト片は、実際の使用者が使用する場合に起きるであろう、ある予め定められた回数、繰り返し伸張され、弛緩される。
【０００６】
特許文献８は、弾性巻き布材料  テスト材料の１インチ幅の帯片が、Ｉｎｓｔｒｏｎ張力試験機のあごに据えられ、所望のパーセントの伸長にまで伸ばされることを開示する。その帯片は次に、伸長させられていた距離を減少させることにより回復することが可能になる。
【０００７】
生地のテスト標本のみをテストする不利益は、ベルト付吸収性衣類は通常、使用者の腰の周りにベルト付吸収性衣類を固定するために使用される様々な材料、例えば接着テープ、伸縮性のあるセクション、弾性パネル及び他の付属又は統一されたベルト要素、を含むいくらかの異なる部品を含むことである。すなわち、各部品／材料別の分析から、前記部品／材料の全ての正味の弾性及び引張り力特性を決定することは難しい。さらには、ベルト付吸収衣類が使用者上に留まるかについて、ベルト付吸収性衣類の重さ及びその容量がどのように影響しうるとしても、ベルト付吸収性衣類の重さ及びその容量は、テスト標本について実行されたそのテストにおいては考慮に入れられていない。
【先行技術文献】
【特許文献】
【０００８】
【特許文献１】欧州特許出願公開第０２８７３８８号明細書
【特許文献２】欧州特許出願公開第０４０９３０７号明細書
【特許文献３】欧州特許出願公開第０６０５０１２号明細書
【特許文献４】仏国特許出願公開第２５８６５５８号明細書
【特許文献５】特許第３４７１９９号公報
【特許文献６】欧州特許第０４８７７５８号明細書
【特許文献７】英国特許第２３８９６６５号明細書
【特許文献８】米国特許第４３６６８１４号明細書
【特許文献９】国際公開第０３／０４７４８８号パンフレット
【特許文献１０】欧州特許第０６４６０６２号明細書
【特許文献１１】国際公開第９８／２９２５１号パンフレット
【特許文献１２】国際公開第０３／０００１６５号パンフレット
【特許文献１３】米国特許第５２２６９９２号明細書
【発明の概要】
【発明が解決しようとする課題】
【０００９】
本発明の目的は、上記の型の改善されたベルト付吸収性衣類を提供することであり、そのベルト付吸収性衣類は改善された適合性、快適性、及びその衣類の通常の使用において使用者上に留まる能力を有する。
この目的は、第１主部パネル、第２主部パネル及びそれらの間の股部を含み、前記第１及び第２主部パネルの各々は腰部を有しており、長手及び横方向を有するベルト付吸収性衣類により達成される。前記吸収性衣類は、第１主部パネルの腰部に取り付けられるベルトセクションをさらに備えており、衣類の使用者の腰周りに包まれるように適合されて、第１固定手段により一緒に固定されている。それの腰部の第２主部パネルは、その衣類がパンツ様の形状と推測できるような方法で、ベルトセクションに固定されて適合する第２固定手段に備えられている。以下に記載されるように周期的腰拡大テスト装置でテストされる場合、吸収性衣類は、少なくとも１０回の拡大／収縮周期の周期的な腰拡大テストを受け、少なくとも１０拡大／収縮周期の周期的な腰拡大テストを受けた後少なくとも３０秒の間に、周期的腰拡大テスト装置におけるその初期位置から１５ｃｍ以上ずり落ちることはない。そのようなベルト付吸収性衣類は、快適に着用でき、易しく固定できて取り扱えるだけでなく、良好なフィット性及びたとえそれの使用者がとても活動的であったとしても使用中にそこに留まる信頼性を有するものである。
【課題を解決するための手段】
【００１０】
本発明の実施形態によれば、吸収性衣類はここに記載されている周期的腰拡大テスト装置上のその初期位置から１０ｃｍ以上、最も好ましくは７ｃｍ以上ずり落ちることはない。どの程度吸収性衣類が周期的腰拡大テスト装置上に留まるかの段階スケールを、少なくとも１０拡大／収縮周期の周期的な腰拡大テストを受けてその後に、どのくらい前記吸収性衣類がその初期位置からずり落ちるかによって規定することができる。
本発明の実施形態によれば、ベルトセクションは長手及び横方向を有し、少なくとも１つのベルトセクションが、吸収性衣類の横方向に、ベルトセクションの初期非伸長状態で測定されたベルトセクションの長さの、２５％にまで延在する少なくとも１つの弾性パネルを含む。
【００１１】
本発明の吸収性衣類のベルトセクションはそれゆえ非弾性部及び、選択的に、吸収性衣類の本質的に横方向に延びることが可能に配置される少なくとも１つの弾性パネルを含み、「弾性」及び「非弾性」という表現は、以下に記載される弾性テストを使用することで定義される。創造的な吸収性衣類のベルトセクションが１以上の弾性パネルを含む場合、それ又はそれらは、それらの横方向において全ベルトセクションの２５％を越えて延在することはなく、好ましくは全ベルトセクションの長さの１５％を越えず、最も好ましくは、全ベルトセクションの長さの１０％を越えない。
【００１２】
さらには、前記少なくとも１つの弾性パネルは伸長し易く、すなわち、以下に記載されるように、弾性テストに従って少なくとも６０％までそれを伸ばすのに１５Ｎを越えない力しか要求しないものである。
弾性テスト
弾性テストは、どのように弾性材料が負荷及び非負荷サイクルの繰り返し中になるかを測定する。テストサンプルは予め定められた伸びにまで伸ばされ、０から前記予め定められた伸びまでの周期的動作が実行される。所望の負荷及び非負荷力が記録される。永久、すなわち、弛緩した材料の残存伸びが測定される。
【００１３】
周期動作を実行可能で、プリンタ／プロッタ又はソフトウェアプレゼンテーションが備えられた張力試験機、Ｌｌｏｙｄ  ＬＲＸが使用される。テストサンプルがそれを２５ｍｍの幅で、張力試験機のあごの間の距離よりも好ましくは２０ｍｍ長い長さに切断することにより調製される。
【００１４】
張力試験機は装置の使用説明書に従って較正される。そのテスト（負荷及び非負荷力）に必要なパラメーターは
クロスヘッド速度：５００  ｍｍ／分
クランプ距離：５０ｍｍ
予備負荷：０．０５Ｎ
に調整される。
テストサンプルは、マークに従ってクランプに配置され、確実にテストサンプルがクランプの中央に垂直に固定されるようにする。張力試験機が始動され、０から予め定められた伸びまで３周期、が最大の規定された初期負荷に等しくなるまで、実行される。最後の周期の前に、テストサンプルが１分間弛緩され、次に永久伸びが、０．１Ｎの力が検出されて伸びが読めるまで、テストサンプルを伸ばすことにより測定される。
【００１５】
弾性材料はその材料が前述の弾性テストで３０％の伸びを受けた後、弛緩後に１０％よりも少ない永久伸びを有する材料として定義される。３０％の伸びとは、サンプルの初期長さよりもすなわち３０％長い長さに伸びることを意味する。非弾性材料は３０％の伸びを受けた後、弛緩後に１０％を超える永久伸びを有している。
【００１６】
発明の実施形態に従って、前記少なくとも１つの弾性パネルは、その技術で知られているいかなる弾性材料、弾性フィルム、弾性不織布又は弾性ラミネート、例えば、伸長活性化ラミネートをも含む。弾性ラミネートは２以上の不織布層、２以上のフィルム層又はフィルム及び不織布層の結合間のラミネートとしてもよい。弾性ラミネートの１つのグループは、いわゆる「ストレッチ結合」ラミネートであって、弾性層は、１以上の非弾性層でそれをラミネートする前に、少なくとも１つの方向に伸ばされる。張力が弾性層から除去された後、それは自由にその非張力状態に収縮されることができ、そこにラミネートされた非弾性層は、集まって、３次元のひだが生じる。
【００１７】
弾性ラミネートの別のグループはいわゆる「ネックボンド」ラミネートであって、非弾性部材がその幅若しくは「ネック」が減少する条件下で伸ばされる一方、弾性材料は非弾性材料に結合されるラミネートを指す。「ネットボンドラミネート」は、少なくとも２つの層を有する複合材料であり、１つの層がネックされた非弾性層であり、他の層が弾性層であるものを指す。その層は、非弾性層が伸びた状態にあるときに、一緒に接合される。
【００１８】
弾性ラミネートのさらなるグループが、例えば特許文献９で開示されており、非弾性不織布層は弾性フィルム層にラミネートされていて、そのラミネートは、非弾性層が破れるように、不織布材料の失敗点より上に伸ばされる。非弾性不織布層は非伸長弾性フィルム層にラミネートされてもよい。そしてラミネートの弾性は機械的な伸長によって活性化される。
【００１９】
弾性ラミネートの例は、特許文献１０、特許文献１１、特許文献１２、及び特許文献１３に記載されている。商業的に利用可能な弾性ラミネートの例としては、ＴｒｅｄｅｇａｒからのＦａｂｒｉｆｌｅｘ（登録商標）  ３０６及びＮｏｒｄｅｎｉａからのＰＫ６３５８がある。
【００２０】
別の発明の実施形態に従って、前記少なくとも１つの弾性パネルは、少なくとも１つの弾性フィルム層及び少なくとも１つの不織布層を含む少なくとも１つの弾性ラミネートを含有し、その層は超音波により結合され、接着剤で結合され、熱結合され、押出結合され、又は前記結合方法の組み合わせを使用して結合される。
【００２１】
本発明の別の実施形態に従って、弾性パネルは、複数の織物材料の間に収縮的に張られた、非弾性体であってもよい、１以上の弾性帯又は糸を含む。
【００２２】
発明のさらなる実施形態によれば、又は各、弾性パネルは、ベルトセクションの初期非伸長状態で測定してそれらの横方向のベルトセクションの長さに沿って１〜１５ｃｍ伸びる。弾性パネルは通常、接着剤、熱結合、超音波又はレーザー溶接により、本質的にベルトの非弾性部分に取り付けられ、弾性及び本質的に非弾性材料のオーバーラップになり、横方向で測定される前記オーバーラップの長さは１５ｍｍにまでなりうる。吸収性衣類の横方向にあるベルトの長さに沿った弾性パネルの全ての寸法は、この書類で活性化弾性長さ、すなわち、ベルトの弾性材料の長さ、を指すために与えられ、それは吸収性衣類の横方向にある延伸力の適用によって延伸され、その力を放した際に収縮されることができ、ここで「弾性材料」とは、前述の弾性テストに従って定義されている。
【００２３】
発明の実施形態によれば、そのベルトは、吸収性衣類のフロント又はバックパネルの向かい合った側に結ばれる２つのベルトセクションを含む。発明の別の実施形態によれば、２つのベルトセクションは、フロント又はバック主部パネルの腰部分に沿って横方向に延在する腰バンドにより互に繋がれる。この場合、ベルトセクションはそれぞれの主部パネルの外側に横方向に延在するセクションを指す。
【００２４】
ここに開示されるベルト付吸収性衣類のベルトの全体の長さは、ベルトセクションとベルトセクションが取り付けられる主部パネルの幅との全部一体の長さとして定義される。「ベルトセクション」は吸収性衣類のシャシ（ｃｈａｓｓｉｓ）の周辺端から延びるベルトの部分として定義される。主部パネルの幅は、ベルトセクションが取り付けられるシャシの周辺端の間にある吸収性衣類の横方向で測定される。言い換えると、ベルトの全長さは、ベルトの初期非伸長状態で測定される１つの末端部と他の末端部の間の距離である。２つの向かい合ったベルトセクションを、主部パネルの長手方向の周辺端に取り付ける代わりに、ベルトは主部パネルの横の周辺端に取り付けられてもよく、そのような場合「ベルトセクション」は、主部パネルの長手周辺端の仮想的な延長をなす線の横の外側のベルトの部分として定義される。
【００２５】
少なくとも１つのベルトセクションは少なくとも１つの弾性パネルを含む。本発明の好ましい実施形態によれば、１つの弾性パネルの基部端は、２つのベルトセクションを互いに繋ぐ腰バンド上に、吸収性衣類のシャシのそれぞれの長手周辺端又はその長手方向中にそれの仮想的な延長の５ｃｍ以内、より好ましくは３ｃｍ以内に位置する。前記少なくとも１つの弾性パネルは、ベルトセクションの初期非伸長状態で測定して、それぞれのベルトセクションの長さの２５％まで先に伸びること、並びに、この延長は、ベルトセクションのみの弾性材料を指し、ベルトセクションが取り付けられる、又は代わりの２つのベルトセクションを互いに繋ぐ腰バンドにある主部パネル中のいかなる弾性材料の延長も含まないことに注目すべきである。発明の実施形態によれば、弾性パネルの基部端は、主部パネルのそれぞれの長手方向周辺端に当接されて配置される。代替的に弾性パネルは、代わりに又は追加的に、主部パネルの腰領域又はベルトセクションを互いに繋ぐ中間腰バンドに配置されてもよい。
【００２６】
本発明の別の実施形態によれば、それらの横方向においてそれぞれのベルトセクションの長さが、ベルトセクションの初期非伸長状態で測定された場合、２５から５５ｃｍである。本発明のさらなる実施形態によれば、ベルトセクションの幅は５０から１６０ｍｍである。中程度の大きさの吸収性衣類は、例えば、６０〜１２０ｍｍの幅のベルトを有し、大きな製品は７０〜１４０ｍｍの幅のベルトを有してもよい。
【００２７】
本願発明はまた、ベルト付吸収性衣類が、使用の際に使用者の腰周りにどの程度よく留まっていられるかを決定する方法に関する。
【００２８】
その方法は、ベルト付吸収性衣類を、機械的に人間の使用者の腰及び／又はヒップをシミュレートすることを意図した（すなわち、ベルト付吸収性衣類は人間ではテストされない）、移動可能な機械的部材、例えば、輪郭付プレート、周りに固定する工程を含み、それは、前記部材を互いに離れる方向に動かし、駆動手段、例えば、空気圧又は水圧、シリンダー及びピストン、又は磁気手段を使用し、それらを彼／彼女が動く際の使用者の腰の拡大及び収縮をシミュレートするために、それらの初期位置に戻すものである。「移動可能な」という単語は、少なくとも１つの前記機械的部材が他の機械的部材に対して移動可能なことを意味することを意図したものであることに注意すべきである。例えば、もしテスト装置が２つの輪郭付プレートからなり、第１輪郭付プレートの位置が固定されたままになるように配置される一方、第２輪郭付プレートは第１輪郭付プレートに対し移動可能であってよい。
【００２９】
本発明の実施形態によれば、本方法は、移動可能な部材を互いに離したりそれらの初期位置に戻したりして複数回、前記拡大及び収縮サイクルを繰り返す工程を含む。
【００３０】
本発明の実施形態によれば、本方法はベルト付吸収性衣類を、移動可能な機械的部材上に明確にマークされた初期位置に、位置決めし、及び、ベルト付吸収性衣類を、予め定められた力を使用してベルトを伸ばすことにより、移動可能な機械的部材の周りに固定する工程を含む。移動可能な機械的部材は、次に予め定められた速度で予め定められた回数で、予め定められた距離まで離れて戻る。その初期位置から測定される、ベルト付吸収性製品の最終位置が、最終拡大及び収縮サイクルが完了した後、予め定められた時間記録される。すなわち吸収性衣類がまだ移動可能な機械的部材上に留まっているかどうかが記録され、もしそうなら、マークされた初期位置から、仮に吸収性衣類が滑っていたとしても、どの程度離れているかが記録される。本発明の別の実施形態によれば、本方法は、テストされる間に、又はテストが始まる前に、錘をベルト付吸収衣類に加える工程を含む。
【００３１】
本発明のさらなる実施形態によれば、本方法は、垂直の目盛りを、その、又は、各、拡大及び収縮サイクルの間に、下方へのずれの量を測定するために、前記移動可能な機械的部材の上に、又は、に近接して提供する工程を含む。
【００３２】
本発明の実施形態によれば、本方法はベルト付吸収性衣類を、移動可能な機械的部材上に明確にマークされた初期位置に、位置決めし、及び、ベルト付吸収性衣類を、予め定められた力を使用してベルトを伸ばすことにより、移動可能な機械的部材の周りに固定する工程を含む。本方法はまた、移動可能な機械的部材の周りに、股部及び主部パネルで包み、第２主部パネルを少なくとも１つのベルトセクションの外部表面に固定する工程を含む。本発明の好ましい実施形態によれば、股部及び主部パネルは、前記股部及び主部パネルを予め定められた力で伸長する間に、移動可能な部材の周りに包まれる。本方法はさらに、予め定められた重量をベルト付吸収性衣類に追加する工程を含み、移動可能な機械的部材を、予め定められた速度で、予め定められた回数で、予め定められた距離まで離して戻し、並びに最終拡大及び収縮サイクルが完了した後、予め定められた時間、その初期位置からのベルト付吸収性製品の位置を記録するこの実施形態において、本発明の方法は周期的な腰拡大テストとして示される。
【００３３】
本願発明はさらに本発明の実施形態のいずれかに従ったベルト付吸収性衣類を製造するための方法に関し、その結果として前記製造方法により製造されるベルト付吸収性衣類に関する。製造方法は、前記製造プロセスが正常に機能していることを確実にするために、品質管理測定としての発明の実施形態のいずれかに従った上記のテスト方法の工程を含む。
【００３４】
本発明の実施形態によれば、本方法は、製造されたベルト付吸収性衣類を提供する、又はそれのどの程度前記ベルト付吸収性衣類が、使用の際に、使用者の腰に留まっていられるかを示す情報及び／又はパラメーターを伴ってパッケージする工程を含む。そこで、ベルト付吸収性衣類を購入する顧客は、使用の際にどの程度ベルト付吸収性衣類がその元の外周を保てるかについて、及び結果として使用の際にどの程度ベルト付吸収性衣類が留まっているかについての正確な表示が、提供される。
【図面の簡単な説明】
【００３５】
本願発明は、以下において添付された図面を参照して非限定的な例によりさらに説明される。
【図１】本発明の実施形態に従ったベルト付吸収性衣類を示す図である。
【図２】本発明の別の実施形態に従ったベルト付吸収性衣類を示す図である。
【図３】どのようにベルト付吸収性衣類が使用者に着用されるかを示す図である。
【図４】どのようにベルト付吸収性衣類が使用者に着用されるかを示す図である。
【図５】本発明の実施形態に従った弾性パネルの断面を示す図である。
【図６】本発明の実施形態に従った周期的腰拡大テスト装置を概念的に示す図である。
【図７】本発明の実施形態に従った周期的腰拡大テスト装置を概念的に示す図である。
【図８】本発明の実施形態に従った周期的腰拡大テスト装置を概念的に示す図である。
【図９】本発明の実施形態に従った周期的腰拡大テスト装置を概念的に示す図である。
【図１０】どの程度ベルト付吸収性衣類が使用の際に使用者の腰に留まるかを測定するための周期的腰拡大テストの工程を示す図である。
【図１１】どの程度ベルト付吸収性衣類が使用の際に使用者の腰に留まるかを測定するための周期的腰拡大テストの工程を示す図である。
【図１２】どの程度ベルト付吸収性衣類が使用の際に使用者の腰に留まるかを測定するための周期的腰拡大テストの工程を示す図である。
【図１３】どの程度ベルト付吸収性衣類が使用の際に使用者の腰に留まるかを測定するための周期的腰拡大テストの工程を示す図である。
【図１４】どの程度ベルト付吸収性衣類が使用の際に使用者の腰に留まるかを測定するための周期的腰拡大テストの工程を示す図である。
【図１５】どの程度ベルト付吸収性衣類が使用の際に使用者の腰に留まるかを測定するための周期的腰拡大テストの工程を示す図である。
【図１６】どの程度ベルト付吸収性衣類が使用の際に使用者の腰に留まるかを測定するための周期的腰拡大テストの工程を示す図である。
【図１７】どの程度ベルト付吸収性衣類が使用の際に使用者の腰に留まるかを測定するための周期的腰拡大テストの工程を示す図である。
【図１８】どの程度ベルト付吸収性衣類が使用の際に使用者の腰に留まるかを測定するための周期的腰拡大テストの工程を示す図である。
【図１９】どの程度ベルト付吸収性衣類が使用の際に使用者の腰に留まるかを測定するための周期的腰拡大テストの工程を示す図である。
【図２０】どの程度ベルト付吸収性衣類が使用の際に使用者の腰に留まるかを測定するための周期的腰拡大テストの工程を示す図である。
【図２１】どの程度ベルト付吸収性衣類が使用の際に使用者の腰に留まるかを測定するための周期的腰拡大テストの工程を示す図である。
【図２２】どの程度ベルト付吸収性衣類が使用の際に使用者の腰に留まるかを測定するための周期的腰拡大テストの工程を示す図である。  本図面は縮尺して描かれたものではなく、ある特徴の寸法が明確性のために誇張されていることに注意すべきである。
【発明を実施するための形態】
【００３６】
図１は、第１主部パネル１１を含んだ、おむつ又は失禁ガードの形態の吸収性衣類の実施形態を示しており、図面に示された実施形態において、使用の際に、使用者のバック及びリアヒップ領域に延在することを意図した衣類の一部である。衣類はまた、示された実施形態において、使用の際に、使用者の腹部及び前面ヒップ領域に延在することが意図されている、おむつパンツの一部である第２主部パネル１２を含む。前記各第１及び第２主部パネル１１及び１２は、腰部１１ａ及び１２ａをそれぞれ有する。代わりに、第１主部パネル１１はフロント主部パネルであってもよく、第２主部パネル１２がバック主部パネルであってもよいことが理解されるべきである。衣類１０の股部１３は、衣類の一部であり、使用の際に使用者の脚の間にある股領域を通して延在することが意図されている。吸収性コア１５は、股部１３に配置され、フロント及びバック主部パネル１１及び１２に延在する。吸収性衣類は横方向ｘ及び長手方向ｙを有する。
【００３７】
「吸収性コア」は、吸収性衣類の（示されていない）２つのカバーシートの間に、少なくともそれらの股部に配置される吸収構造である。吸収性コア１５は通常のどの種類であってもよい。一般に存在する吸収性材料の例としては、セルロースのフラッフパルプ、ティシュー層、高い吸収性ポリマー（いわゆる超吸収体）、吸収性発砲材料、吸収性不織布材料若しくは同種のものがある。吸収性コアにおいてセルロースのフラッフパルプと超吸収性ポリマーを組み合わせることはよく行われる。超吸収性ポリマーは水膨潤性、水不溶性有機若しくは無機材料であって少なくともそれら自身の重量の２０倍の０．９重量パーセントの塩化ナトリウムを含む水溶液を吸収する能力があるものである。超吸収性材料として使用するのに適した無機材料には、天然素材、例えば多糖類、ポリペプチド及びこれらと同種のもの、同様に合成材料、例えば、合成ハイドロゲルポリマーを含めることができる。例えばハイドロゲルポリマーとしては、例えばポリアクリル酸のアルカリ金属塩、ポリアクリルアミド、ポリビニルアルコール、ポリアクリレート、ポリアクリルアミド、ポリビニルピリジン、及びこれら同種のものが挙げられる。別の好適なポリマーとしては、加水分解されたアクリロニトリルグラフテドスターチ、アクリル酸グラフテドスターチ、及びイソブチレンマレイックアンハイドライド共重合体及びこれらの混合物が挙げられる。ハイドロゲルポリマーは実質的に水不溶性の材料とするため軽く架橋されていることが好ましい。好ましい超吸収性材料は超吸収性粒子、繊維、フレーク、球、などの表面若しくはシエルの外側が超吸収体の内側部分より高い架橋密度を有するようにさらに表面架橋されるものである。
【００３８】
高い液体貯蔵能力は超吸収性材料の多量の使用により提供される。親水性繊維、例えばセルロース繊維のマトリックス、及び超吸収性材料を含む吸収性コアに対して、超吸収性材料の比率は１０〜９０重量％が好ましく、３０〜７０重量％がより好ましい。
【００３９】
吸収性衣類にとって、液体受容能力、液体配分能力及び貯蔵能力について異なる属性の層を含む吸収性コアを有することは通常のことである。薄い吸収性主部は、例えば赤ちゃんのおむつ及び失禁ガードでは通常であり、しばしば圧縮され、混合され若しくは層化された構造のセルロースフラップパルプ及び超吸収性ポリマーを含む。吸収性コアの大きさ及び吸収性能力は様々な用途、例えば幼児若しくは成人失禁者に合うように変化させてもよい。
【００４０】
吸収性コアはさらに、主要な吸収性主部の上部に配置される取得配分層をさらに含んでよく、それは主要な吸収性コアによって吸収される前に放出された液体を素早く受容し、一時的に貯蔵するように適合されるものである。そのような取得配分層は当該技術で周知であって多孔性繊維の詰め物若しくは発砲材料から製造しうる。
【００４１】
ベルト部材１４ａ、１４ｂの対は第１主部パネル１１の腰部に取り付けられ、例示された実施形態中において、それぞれ、弾性パネル１８、例えば、弾性ラミネートを含む。ベルトセクション１４ａ及び１４ｂの非弾性部分１６は、例えば、ベルトの外部表面を形成するキャリア材料の層、及び、使用者の肌と直接に接触することを目的としたベルトの内側を形成する柔軟な不織布から作られる。適した不織布材料としては、例えばポリプロピレン又はポリエチレン繊維のスパンボンド材料が挙げられる。コンジュゲート繊維を使用してもよい。他の適した不織布材料は、例えばポリプロピレン、ポリエステル若しくはコンジュゲート繊維のカーデッドサーモボンド材料から形成される。ベルトセクションの外部表面、例えばキャリア材料、は固定手段の受容表面としての機能に適合すべきである。固定手段がフックファスナーの場合、不織布材料をキャリア材料として使用しうる。固定手段１８がテープタブの場合、プラスチックフィルムは不織布と同様に受容材料として適している。
【００４２】
弾性ラミネートについて、繊維材料の第１及び第２層は、中間弾性フィルム層と組み合わされて、柔軟で、布の様な感触をラミネートにもたらすように、選ばれる。好適な材料の例としてはカーデッドウェブ（ｃａｒｄｅｄ  ｗｅｂｓ）、スパンボンド材料がある。繊維材料に使用される好適なポリマーの例としては、ポリエチレン、ポリエステル類、ポリプロピレン並びに他のポリオレフィンホモポリマー及びコポリマー類がある。自然繊維、例えば、綿、もまた、必要な特性を提供できる限りにおいて使用できる。ポリマー類の混合物は不織布層の高い可撓性に寄与できる。
【００４３】
弾性フィルムはいかなる適する弾性ポリマー、自然物又は合成物であってもよい。弾性フィルムの適する材料の例は、低結晶化度ポリエチレン類、メタロセン触媒低結晶化度ポリエチレン、エチレンビニルアセテートコポリマー類（ＥＶＡ）、ポリウレタン、ポリイソプレン、ブタジエン−スチレンコポリマー類、スチレンブロックコポリマー類、例えば、スチレン／イソプレン／スチレン（ＳＩＳ）、スチレン／ブタジエン／スチレン（ＳＢＳ）、又はスチレン／エチレン−ブタジエン／スチレンブロックコポリマーである。これらのポリマーのブレンドも、他の修正エラストマー又は非エラストマー材料と同様に使用しうる。
【００４４】
快適性の理由のため、もしラミネートの総基礎重量を低く保つことができたなら有利である。このように、総基礎重量の約１５０ｇ／ｍ２は受け入れ可能であるが、総基礎重量の約１３０ｇ／ｍ２以下が好ましい。基礎重量は少なくとも２５ｇ／ｍ２があるべきである。
【００４５】
実際に、ベルトセクション１４ａ、１４ｂの長さ、すなわち、吸収性衣類のシャシの長手周辺端から、ベルトセクションの末端までの、ベルトセクションの長さは、例えば、２９０ｍｍ、３４０ｍｍ、４００ｍｍ又は５１０ｍｍであってよく、弾性パネル１８の長さ（ベルトの横方向で測定される）はそれぞれ７２ｍｍ、８５ｍｍ、１０００ｍｍ又は１２７ｍｍ、すなわち、ベルトセクションの長さの２５％までであってよい。ベルトの総長さは、２つのベルトセクション１４ａ、１４ｂの長さと、ベルトセクション１４ａ、１４ｂが衣類の腰部１１ａに沿って固定される長手周辺端の間の主部パネルの幅との総結合として定義される。各ベルトセクション１４ａ、１４ｂは、基本的に非弾性部１６及び基本的に横方向（ｘ’）に延びる能力があるように配置される弾性パネル１８を含む。ベルトセクション１４ａ及び１４ｂは吸収性衣類の使用者の腰の周りに包まれ、第１固定手段１７、例えば、機械的ファスナー、特に、フックアンドループ固定手段により互いに固定されることが意図される。前記第１固定手段１７は１つのベルトセクション１４ａの末端近くに位置する主要ファスナー１７ａ、例えばフック部材、及び対向するベルトセクション１４ｂ上に副ファスナー１７ｂを含む。副ファスナー１７ｂは第１ファスナー１７ａのための受容部材である。フック部材に対して副ファスナー１７ｂ（受容部材）はループ材料である。好ましくは、少なくとも前記対向するベルト部材の外部表面の基本的な部分が、通常繊維性不織布材料の形態で、ループ材料として作用する。
【００４６】
対向するベルトセクションの外部表面、特にそれが繊維性不織布を含む場合、ループ材料として機能しうる。機械的なファスナーの更なる例としては、ボタン及びホール若しくはボタンループ、スナップファスナー及び同種のものが挙げられる。ボタンは、ベルト又は衣類のいずれかに固定されうる。各弾性パネル１８の基部端は、吸収性衣類の腰部１１ａの周辺長手端の５ｃｍ以内、好ましくは３ｃｍ以内に位置する。しかしながら多数の弾性パネル１８を、ベルト付吸収性衣類のベルトセクション１４ａ、１４ｂに沿ってどこにでも配置させることができる。
【００４７】
「フックアンドループファスナー」は、再固定可能な「フック」部（主要ファスナー）及び「ループ」部（副ファスナー）を有する相補的な固定手段をいう。ここで使用される用語「フック」は他の構成要素、いわゆる「ループ」部と係合する能力があるすべての構成要素をいう。用語「フック」はその通常の意味における「フック」のみに限られるものではなく、一方向性か若しくは二方向性か、むしろ係合構成要素のすべての形態を包括的に含む。用語「ループ」は同様にその通常の意味における「ループ」に限られず、「フック」ファスナーと係合する能力のあるどのような構造をも含む。「ループ」材料の例は繊維性構造であって、不織布材料のようなものである。フックアンドループファスナーは例えば米国のＶｅｌｃｒｏから入手できる。代わりに、第１固定手段１７がテープタブのような接着固定手段（主要ファスナー１７ａ）、対向するベルト部材１７の外部表面が、テープが付着できるような材料からなるようなもの（第２ファスナー１７ｂ）であってよい。（長手方向（ｙ）において測定される）ベルトセクション１４ａ及び１４ｂの幅は５０〜１６０ｍｍの間にあるべきである。
【００４８】
適した不織布材料は例えばポリプロピレン若しくはポリエチレン繊維のスパンボンド材料とすることができる。コンジュゲート繊維を使用してもよい。他の適した不織布材料としては例えばポリプロピレン、ポリエステル若しくはコンジュゲート繊維のカーデッドサーモボンド材料から形成されるものがある。
【００４９】
さらに、第２固定手段１９が、少なくとも１つのベルトセクション１４ａ、１４ｂの外部表面にフロントパネル１２を固定するために備えられる。第２固定手段１９は、フロントパネル１２の腰部１２ａの側方端に位置する主要ファスナー１９ａ及び少なくとも１つのベルトセクション１４ａ、１４ｂの外部表面上の副ファスナー１９ｂ（受容表面）を含む。主要ファスナー１９ａがフックファスナーの場合、不織布材料が受容材料として使用されてもよい。第２ファスナーの主要ファスナー１９ｂがテープタブの場合、不織布材料と同様にプラスチックフィルムも受容材料（副ファスナー１９ｂ）として好適でありうる。
【００５０】
フロントパネル１２は使用者の脚の間を通り、フロントパネル１２の腰部１２ａの側面端に備えられる第２固定手段１９の主要ファスナー１９ａにより、ベルトセクション１４ａ、１４ｂの外側に固定される。これらの第２固定手段１９は、フックアンドループファスナー、ボタン及びホール若しくはボタンループのような機械的ファスナー又は接着テープファスナーである。
【００５１】
弾性部材２０は、第１主部パネル１１の腰部の少なくとも一部に沿って、横方向、ｘ’に延びる。前記弾性部材２０は、弾性フィルム、弾性不織布、弾性ラミネート若しくは同種のもののような弾性ウェブ材料の形態でありうる。弾性ラミネートは、２以上の不織布層、２以上のフィルム層若しくはフィルム及び不織布層の結合の間のラミネートであってもよい。本発明の別の実施形態に従って、前記弾性部材２０は、第１主部パネルの腰部１１ａの全部の横側に沿って連続的に延在してよい。弾性部材２０は、ここに記載される弾性テストで測定して、少なくとも３０％の弾性を有するべきである。
【００５２】
腰弾性部材２１は、第２主部パネル１２の腰部１２ａの少なくとも一部に沿って、横方向、ｘに延在する。腰弾性部材２１は、外側カバーシートの外部側に、又は、内側カバーシートの使用者に向かう側に、内側及び外側カバーシートの間に収縮的に取り付けられた、弾性ラミネート、弾性フィルム、弾性不織布若しくは同種のもののような弾性ウェブ材料でありうる。代わりに、それは２以上の弾性糸若しくは帯が収縮的に外側及び内側カバーシートの間に固定されることを含む。
【００５３】
脚開口部は弾力性を有してよく、前記弾性化は通常、外側及び内側カバーシートに収縮的に取り付けられた弾性糸のような複数の弾性部材２３により達成される。衣類は、漏れに対する改善された防衛手段を提供するために、いわゆるバリアーカフが備えられていてもよい。これらのバリアーカフは、いくつかの場合には、脚弾性を置き換える。
【００５４】
図２は本発明の吸収性衣類１０の別の実施形態である。図２に示された吸収性衣類１０は、対向する２つのベルトセクションをバック主部パネル１１の腰部１１の長手（ｙ）周辺端に取り付ける代わりに、ベルトは腰部１１ａの横（ｘ）周辺端に取り付けられる点で図１に示されるものと異なり、ここで、「ベルトセクション」は、吸収性衣類１０のシャシから離れる方向へのライン２５の外側の横のベルトの一部として規定される。ベルトの総長さは、１つのベルトセクション１４ａの末端から他のベルトセクション１４ｂの末端までの長さとして規定される。
【００５５】
図３及び４は、どのように２つのベルト部材１４ａ、１４ｂが、使用者の腰周りに包まれるか、及び固定手段により互い固定されるかを示す。バック主部パネル１１の腰部に取り付けられたベルトセクション１４ａ、１４ｂは、使用者の腰周りに包まれ、第１固定手段１７により互いに固定される。フロント主部パネル１２上の第２固定手段１９は、次に、吸収性衣類がパンツ様の形状になるように、少なくとも１つのベルトセクション（１４ａ、１４ｂ）の外部表面に固定される。
【００５６】
図５は、弾性ラミネートが弾性パネル１８としての使用に適していることを概略的に示す。弾性ラミネートは、ポリプロピレン若しくはポリエチレン不織布層のような２つのネック不織布層１８Ｂの間に挟まれている、スチレンブタジエンコポリマーを含む弾性フィルム１８Ａを含有し、前記弾性ラミネートは超音波的に互いに結合している。発明の実施形態に従って、ベルト付吸収性衣類の少なくとも１つのベルトセクションは少なくとも１つのそのような弾性ラミネートを含む。前記少なくとも１つのベルトセクションが、吸収性衣類１０の主部パネル１２の長手周辺端に取り付けられるとき、弾性パネル１８の基部端は好ましくは、主部パネル１２の長手周辺端の５ｃｍ以内、より好ましくは３ｃｍ以内又はベルトセクションに沿った他の任意の位置にあることが好ましい。ベルトセクションが２以上の弾性パネル１８を含む場合には、追加の弾性パネルをベルトセクションに沿った任意の位置に配置してもよい。
【００５７】
図６は本発明の実施形態に従った周期的な腰拡大テスト装置２５の斜視図である。該テスト設備２５は、機械的に人間の使用者の腰をシミュレートするために形成された２つの輪郭付プレート２６，２８を支えるスタンド２４を含む。輪郭付プレート２６，２８は、スタンド２４が周りに包まれている輪郭付プレート２６，２８から吸収性衣類のどの部分も隠さないように、スタンド２４によって支持される。ベルトセクション１４ａ、１４ｂは輪郭付プレート２６，２８の周りに包まれ、下記に示されるように、伸長された位置で互いに固定される。第２主部パネル１２は、次に上記の方法で、少なくとも１つのベルトセクション１４ａ、１４ｂの外部表面に固定される。吸収性衣類が、周期的腰拡大テスト装置２５上に置かれる場合には、主部パネル１１、１２は、必ず輪郭付プレート２６，２８に対して平らに置かれなければならない。
【００５８】
図７は周期的な腰拡大テスト装置２５を上から示す。一旦、ベルト付吸収性衣類が輪郭付プレート２６，２８の周りに固定されると、作動手段２７、２９は、第１機械的部材２６から離れた第２輪郭付プレート２８を、その初期位置Ｘ１から外側位置Ｘ２に押出し、次にその初期位置Ｘ１に戻す（これは１つの拡大／収縮サイクルを構成する）ことを何度も行い、使用者の腰の拡大及び収縮を彼／彼女が動くようにシミュレートする。該装置の機械的振動速度（Ｖ）は１分間につき２５周期に設定される。第２機械的部材２８は、第１機械的部材２６から上限が１００ｍｍ以上の距離を移動するように配置される。
【００５９】
図８及び図９は、周期的な腰拡大テスト装置２５（図６に示される垂直なＡ−Ａ平面で示されるような）の断面を示す。輪郭付プレート２６、２８は、それらの初期位置Ｘ１で示され、そして輪郭付プレート２６、２８が位置Ｘ２にそれぞれ離される。シリンダー２７を組み入れている第１固定輪郭付プレート２６は、スタンド２４に直に載置されている。第２移動可能輪郭付プレート２８は、シリンダー２７が出し入れされるピストンを組み込み、第１固定輪郭付プレート２６に対して自由に動く。作動手段２７、２９は、実施例に図示されているように、空気若しくは水圧シリンダー又はピストン、又は、２つの輪郭付プレート２６，２８をくっ付けたり離れたりする動きをする他の手段を含んでもよい。第２輪郭付プレート２８を支持するための１以上の支持ロッドは、そのように動く第２輪郭付プレート２８を支持するために輪郭付プレート２６、２８の間に備えられてもよい。
【００６０】
図１０及び図１１は、周期的な腰拡大テスト装置２５の２つの輪郭付プレート２６、２８を横から、および上からそれぞれ概略的に示す。第１輪郭付プレート２６は、実質的にＵ形状の断面を有し、外周半径１２０ｍｍの半円、及び、横方向ｘでその半円の各端部から延在する長さ１００ｍｍの２つの平行な部分が構成される。第２輪郭付プレートは、実質的にＣ形状の断面を有し、外周１２０ｍｍの半円が構成される。第２輪郭付プレートは、実質的に人間の腰の形状に似せた楕円形状を形成するように、それぞれ互いに向き合うＵ及びＣ形状の断面の開放端で組み立てられる。第２輪郭付プレート２８は、内側位置Ｘ１から外側位置Ｘ２まで予め定められた距離を機械的に動かされる。８０ｍｍの周囲の変化を与える周期的な腰拡大テストを実行する際には、この予め定められた距離は４０ｍｍである。輪郭付プレート２６、２８の両方とも２００ｍｍの高さを有し、それらの表面は、粒径０．３μｍを有するオーステナイト・ステンレス鋼（DIN 1.4301 , SIS 2333, AISI 304）を含む。機械的部材２６、２８の表面仕上げは、微細な引っ掻きパターンの外見を与えるために、スコッチ・ブライト（登録商標）を金属の表面に適用することによりなされる。工具磨耗を減少させる、すなわち、研磨表面の酸化物の除去することも有用である。
【００６１】
輪郭付プレート２６、２８が、それらの内側位置Ｘ１にあるとき、それらの間には５ｍｍの距離がある。吸収性衣類が輪郭付プレート間で確実に挟まれないようにするにはそのような距離が必要である。もし、２つの輪郭付プレートの間の最も短い距離が０ｍｍであったとしたなら、吸収性衣類が、それらのベルトが永久に歪んでから、そこに落ちる代わりに、２つの輪郭付プレートの間に挟まれて動けなくなる危険がありうる。
【００６２】
テスト装置２５は９６．４ｃｍの円周を有しており、１００ｃｍからの総ベルト長を有する吸収性衣類を収容するために配置され、ベルトセクションの間には４ｃｍの重なりがある。どのように吸収性衣類が使用者の腰の回りに固定されるかにより、上限が決定されるので、テスト装置でテストしうる吸収性衣類の総ベルト長さの上限は実際にはない。しかしながら、もし１つのベルトセクションが他のベルトセクションに固定されるように配置されるなら、総ベルト長は１３５ｃｍよりも長くないことが好ましい。使用者に製品を着せる際は、１０ニュートンが適した力であると考えられる。
【００６３】
図１２〜図２２に関連して、周期的な腰拡大テストは、以下の工程を含む。
・第２輪郭付プレート２８をそれの内側位置Ｘ１に確実に置くこと
・吸収性衣類１０を広げて、第１固定手段の副ファスナー１７ｂを含む第１ベルトセクションの端部を、第１輪郭プレート２６の真っ直ぐな部分の上端部に平行に置くこと
・前記第１ベルトセクション１４ｂを、締め具手段、例えばディップ（ｄｉｐ）３０により、第１輪郭プレート１６に固定すること（図１３及び図１４を参照のこと）
・吸収性衣類を、ベルトセクション１４ｂの最上端が、輪郭付プレート２６、２８の上端辺りを確実に包むように、並びに、吸収性衣類のフロント及びバック腰部１１ａ、１２ａは第１輪郭付プレート２６のそれぞれ真っ直ぐな部分の中央に確実に位置するように、輪郭付プレート２６、２８の周辺あたりに包むこと。ベルトセクションの弾性パネル１８はその後第１及び第２輪郭付プレート２６、２８の丸みを帯びた部分に位置する。
・自由な、すなわち、締め付けられていない、第１固定手段１７の主要ファスナー１７ａを含む第２ベルトセクション１４ａを伸長するために動力計３４を用いて１０Ｎの力に至るようにすること（図１５参照のこと）。前記自由な第２ベルトセクション１４ａは、自由な第２ベルトセクション１４ａの真っ直ぐな部分の外表面の平面と同一直線状にある方向に伸ばされる。図１５は、前記自由な第２ベルトセクション１４ａが最初に伸ばされる方向を図示する。ひとたび、自由な第２ベルトセクション１４ａが１０Ｎの力に伸ばされると、動力計３４は輪郭付プレート２６、２８の周りで動かされ、１０Ｎの力が全プロセスの間中で維持されて（図１６〜図１８を参照下さい）、このように、確実に、全ての吸収性衣類が周期的腰拡大テスト装置の周りで同じ力で固定され、吸収性衣類の弾性パネルが全部同じ量により伸ばされる。
・自由な第２ベルトセクション１４ａを、締められた第１ベルトセクション１４ｂに、第１固定手段１７の主要ファスナー１７ａを親指で、例えば引張り力が維持されている間に、締められた第１ベルトセクション１４ｂの外側表面に押し付けることにより、固定すること、ここで固定手段は直接ベルトセクション１４ｂに、又は副ファスナー１７ｂとして作用するベルトセクション１４ｂの外側表面に位置する受容部に、取り付けられる。動力計はその後取り除かれる。
・輪郭付プレート２６、２８の下の吸収性衣類のぶら下がった股部１３を包むこと、及び吸収性衣類の主部パネルに位置する第２固定手段１９を輪郭付プレート２６、２８の周りで固定されるベルトセクション１４ａ、１４ｂに固定すること。第２固定手段１９は、主部パネルの対向側に位置する２つの一つ一つ異なる主要ファスナー１９ａを含んでもよく（図１９に示される）、ここで第１主要ファスナー１９ａは、動力計３４が主部パネルの対向側を第１輪郭付プレート２６の真っ直ぐな部分に平行な方向に１０Ｎの力に伸ばす間に、ベルトセクション１４ａ、１４ｂ上で押圧される。動力計３４は、第２主要ファスナー１９ａをベルトセクション１４ａ、１４ｂに押圧している間に取り除かれる。すなわち動力計３４は吸収性衣類１０の主部パネルの腰領域及び第２固定手段１９にある弾性材料を伸ばす。代わりに前記第２固定手段１９は単一のファスナーを含んでもよい。
・動力計を除去すること
・３００グラムの錘３６を吸収衣類の股部の中に置くこと（図２２を参照下さい）。
・周期的腰拡大テスト装置上のベルトの上端部の位置をマーク又はノートすること。
・空気圧シリンダーを作動させ、２つの輪郭付プレート２６、２８を１０拡大収縮周期を通じて動作させること。最後の周期が完了したとき、２つの輪郭付プレート２６、２８は、５ｍｍ離れた距離で内側位置Ｘ１で止まるように配置される。
・１０回目の拡大及び収縮周期が完了した後３０秒ベルトの上端部の位置をマーク又はノートすること、並びに、第１及び第２のマーク若しくは位置の間の垂直距離を測定／計算すること、その結果、もし吸収性衣類が未だ周期的腰拡大テスト上に止まっていれば吸収性衣類がそこを滑った距離が提供される。
【００６４】
周期的腰拡大テストを通過するためには、吸収性衣類１０は、１０拡大／収縮サイクルの間中及びそれが完了した後少なくとも３０秒間の間、周期的腰拡大テストにおいて、その初期位置から１５ｃｍを超えてずり落ちないようにしなければならない。先に示したベルト付吸収性衣類又はそのパッケージがその後、使用の際どのくらい上手く前記ベルト付吸収性衣類が使用者の腰に止まっていられるかを示す情報及び／又はパラメーターとともにマークされてもよい。図２２は、テスト装置の周りに固定されたベルト付吸収性衣類１０を示す。本発明の一実施形態によれば、テスト装置は垂直なスケール３８を含んでおり、ベルト付吸収性衣類１０のベルト１４の端部の初期位置が、各若しくは全ての拡大及び収縮サイクルの後のその位置と同様に記録されてもよい。駆動手段は次に輪郭付プレート２６、２８を例えば１０回の拡大及び収縮サイクルを通じて動かしてもよい（ここで、１つのそのようなサイクルは、移動可能な輪郭付プレート２８をＸ１からＸ２へ及び再びＸ１へ戻すように動かすことを含んでいる。）。
【００６５】
各５つの異なる商業的に利用可能なベルト付吸収性衣類の１０個のサンプルが、周期的腰拡大テストを用いて同じ条件下でテストされた。本願発明に従って１０個のサンプルの吸収性衣類もテストされ、商業的に利用可能な製品と比較された。創作的な吸収性衣類はＴＥＮＡ  Ｆｌｅｘ製品であり、図１で示されるようにそのベルトセクションに弾性パネルを含む。弾性パネルは、Ｔｒｅｄｅｇａｒ社のＦａｂｒｉｆｌｅｘ（登録商標）３０６を含んでいた。各ベルトセクションの長さは３５５ｍｍであった。ベルトの横方向に取り付けられた弾性材料の長さは５０ｍｍであり、取り付けられた弾性材料の活性弾性長は３０ｍｍであった。各弾性パネルの基部端は、前記弾性パネルを含むベルトセクションが取り付けられる主部パネルの周辺長手端から２ｍｍに位置していた。
【００６６】
この明細書で与えられる吸収性衣類の横方向にベルトの長さに沿った弾性パネルの全ての寸法は、吸収性衣類の横方向に伸ばす力の適用で伸ばされ、力を解放した場合には収縮されることができる、活性弾性長さ、すなわち、ベルトの弾性材料の長さを指しており、「弾性材料」は、前述の弾性テストに従って定義されている。
【００６７】
弾性ラミネートは、１０Ｎの力の適用で約１２ｍｍ伸ばされる（材料サンプル１００ｍｍの幅でディップの間３０ｍｍの距離）。それを６０％伸ばすのに１４Ｎの力がかかり、それを１２０％まで伸ばすには３８Ｎの力がかかった。発明の好ましい実施形態に従えば、６０％まで適した弾性材料を伸ばすのに必要な最大力は１５Ｎを超えないべきである。ベルトの非弾性部は、それが３０Ｎ／１００ｍｍまでの力を受ける場合に、そんなに多く拡張しない若しくは延びない材料から作られなければならない。Ｔｅｎｏｔｅｘ社のＬａｍｉｔｅｘ（登録商標）  ９２のような３層不織布ラミネートが適した材料であることが見出された。
【００６８】
以下の表は、各製品が周期的な腰拡大テスト装置上のその初期位置の１５ｃｍ以内にとどまっていた周期の回数を示す。
【００６９】
「OK」という記号は、製品がテストを通過したこと、すなわち、それが、１０拡大／収縮サイクルの間及び１０拡大／収縮サイクルの完了後少なくとも３０秒間、周期的な腰拡大テスト装置上のその初期位置から１５ｃｍ以内に固定されてとどまったことを示す。
【００７０】
「NG」という記号は、製品がテストを失敗したこと、すなわち、それが、１０拡大／収縮サイクルの間又は１０拡大／収縮サイクルの完了後３０秒以内に、周期的な腰拡大テスト装置上のその初期位置から１５ｃｍ以上に滑ったことを示す。
【表１】
2010504143.tif 000003
【００７１】
本発明のベルト付吸収性衣類は、１０拡大及び収縮サイクルの完了の後、少なくとも３０秒間、周期的な腰拡大テスト装置上で１５ｃｍを超えてずり落ちない唯一の製品であった。本発明のベルト付吸収性衣類は、テストの間そのベルトの永久的な歪みが起こらなかったので、そこにとどまり、ベルトはその結果その初期の最も望ましい外周を維持した。他のベルト付吸収性衣類は全て、１〜１０拡大及び収縮サイクルの後、周期的腰拡大テスト装置からずれて落ちた。
【００７２】
５つの創造的なベルト付吸収性衣類でテストが実行され、前記衣類は、周期的腰拡大テスト装置に固定されて、各衣類のベルトの頂上端が、機械的部材の頂上端に平行な位置に確実に固定されるようにした。以下の表は、５つの創造的なベルト吸収性衣類が、周期的な腰拡大テスト中にずれた距離を示す。
【表２】
2010504143.tif 000004
【００７３】
特許請求の範囲の範囲内の本発明のさらなる変更は当業者にとっては明らかであるだろう。もしテスト装置が、吸収性衣類をテストする一般的な方法として使用されるなら、テスト装置は変更されうる。装置の機械的部材は、例えば、金属ロッドの形態のように、どのような形及び寸法であってもよい。創造的な吸収性衣類は、しかしながら、この明細書で記載された周期的腰拡大テスト装置上でテストされなければならない。
【図１】
2010504143.tif 000005
【図２】
2010504143.tif 000006
【図３】
2010504143.tif 000007
【図４】
2010504143.tif 000008
【図５】
2010504143.tif 000009
【図６】
2010504143.tif 000010
【図７】
2010504143.tif 000011
【図８】
2010504143.tif 000012
【図９】
2010504143.tif 000013
【図１０】
2010504143.tif 000014
【図１１】
2010504143.tif 000015
【図１２】
2010504143.tif 000016
【図１３】
2010504143.tif 000017
【図１４】
2010504143.tif 000018
【図１５】
2010504143.tif 000019
【図１６】
2010504143.tif 000020
【図１７】
2010504143.tif 000021
【図１８】
2010504143.tif 000022
【図１９】
2010504143.tif 000023
【図２０】
2010504143.tif 000024
【図２１】
2010504143.tif 000025
【図２２】
2010504143.tif 000026
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
おむつ若しくは失禁ガードのような吸収性衣類（１０）、前記衣類は、長手方向（ｙ）及び横方向（ｘ）を有し、第１主部パネル（１１）、第２主部パネル（１２）及びそれらの間に股部（１３）を含んでなり、各前記第１及び第２パネルは腰部（１１ａ、１２ａ）を有し、前記吸収性衣類（１０）はさらに第１主部パネル（１１）の腰部（１１ａ）に取り付けられたベルトセクション（１４ａ、１４ｂ）を備え、吸収性衣類（１０）の使用者の腰の周りに包まれ、第１固定手段（１７）の方法により互いに固定されるように適合され、吸収性衣類はパンツ様の形状となるように、前記第２主部パネルはその腰部（１２ａ）で、少なくとも１つのベルトセクション（１４ａ、１４ｂ）に固定されて適合される第２固定手段（１９）に備えられる吸収性衣類（１０）であって、ここに記載されているように周期的腰拡大テスト装置（２５）上でテストされる場合、吸収性衣類（１０）は、少なくとも１０拡大及び収縮サイクルの周期的な腰拡大テストの間、及び少なくとも１０拡大及び収縮サイクルの周期的な腰拡大テストを受けた後、少なくとも３０秒間、周期的な腰拡大テスト装置（２５）上でその初期位置から１５ｃｍを超えてずり落ちないことを特徴とする吸収性衣類（１０）。
【請求項２】
前記ベルトセクション（１４ａ、１４ｂ）は、横（ｘ’）及び長手（ｙ’）方向を有し、及び少なくとも１つのベルトセクション（１４ａ、１４ｂ）は少なくとも１つの弾性パネルを含み、ベルトセクション（１４ａ、１４ｂ）の初期の非伸長状態で測定して、それの横方向（ｘ’）にベルトセクション（１４ａ、１４ｂ）の長さの２５％まで、好ましくは全ベルトセクション長さの１５％を超えないで、最も好ましくは全ベルトセクション長さの１０％を超えないことを特徴とする請求項１に記載の吸収性衣類（１０）。
【請求項３】
前記少なくとも１つの弾性パネル（１８）は、弾性フィルム、弾性不織布、ストレッチ活性ラミネート、ストレッチボンドラミネート、ネックボンドラミネートのような弾性ラミネート、ウェブ材料の間に収縮的に取り付けられる弾性糸又は非弾性不織布層が弾性フィルム層にラミネートされ、前記ラミネートが、非弾性層が破れる様に不織布材料の失敗点を超えて伸ばされるラミネートを含むことを特徴とする請求項２に記載の吸収性衣類（１０）。
【請求項４】
少なくとも１つの弾性パネル（１８）は、少なくとも１つの弾性フィルム層及び少なくとも１つの不織布層を含む弾性ラミネートを含み、前記層は超音波接合、接着接合又は押出接合、又は前記接合方法の組み合わせを使用した接合がなされていることを特徴とする請求項２に記載の吸収性衣類（１０）。
【請求項５】
前記吸収性衣類（１０）は、周期的腰拡大テスト装置（２５）上の初期位置から、少なくとも１０拡大及び収縮サイクルの周期的な腰拡大テストの間、及び少なくとも１０拡大及び収縮サイクルの周期的な腰拡大テストを受けた後、少なくとも３０秒間、１０ｃｍを超えてずり落ちず、最も好ましくは７ｃｍを超えないことを特徴とする請求項１乃至請求項４に記載の吸収性衣類（１０）。
【請求項６】
前記ベルト（１４）は、主部パネル（１１，１２）の対向側に接続されている、対向して横方向に延在するベルトセクション（１４ａ、１４ｂ）を含み、少なくとも１つのベルトセクション（１４ａ、１４ｂ）は、少なくとも１つの弾性パネル（１８）を含み、その基部端は、前記少なくとも１つの弾性パネル（１８）を含む少なくとも１つのベルトセクション（１４ａ、１４ｂ）が取り付けられる主部パネル（１１、１２）の周辺長手端（２２）の５ｃｍ以内、好ましくは３ｃｍ以内に配置されることを特徴とする請求項１乃至請求項５に記載の吸収性衣類（１０）。
【請求項７】
前記、若しくは各弾性パネルは、その横方向（ｘ’）でベルトセクション（１４ａ、１４ｂ）の長さに沿って、ベルトセクション（１４ａ、１４ｂ）の初期非伸長状態で測定して、１〜１５ｃｍ延在することを特徴とする請求項２乃至請求項６に記載の吸収性衣類（１０）。
【請求項８】
その横方向（ｘ’）の各ベルトセクション（１４ａ、１４ｂ）の長さが、ベルトセクション（１４ａ、１４ｂ）の初期非伸長状態で測定して、２５から５５ｃｍまでであることを特徴とする請求項１乃至請求項７に記載の吸収性衣類（１０）。
【請求項９】
その長手方向（ｙ’）のベルト（１４）の幅が５０から１６０ｍｍまでであることを特徴とする請求項１乃至請求項８に記載の吸収性衣類（１０）。
【請求項１０】
ベルト付吸収性衣類（１０）を、輪郭付プレートのような、機械的に使用者の腰若しくはヒップをシミュレートすることを意図した、移動可能な機械的部材（２６，２８）の周りに固定する工程、使用者の腰が彼／彼女が動くように拡大及び収縮をシミュレートするために、前記部材（２６、２８）を互いに離れるように動かすこと、例えば駆動手段（２７，２９）を使用すること、及び、それらをそれらの初期位置（Ｘ１）に戻すように動かすこと、を含むことを特徴とする使用の際にどの程度ベルト付吸収性衣類（１０）が使用者の腰に止まっていられるかを決定する方法。
【請求項１１】
前記移動可能な部材（２６、２８）を互いに離れるように動かすこと及びそれらの初期位置（Ｘ１）に戻すように動かすことを複数回繰り返す肯定を含むことを特徴とする請求項１０に記載の方法。
【請求項１２】
ベルト付吸収性衣類（１０）に錘を加える工程を含むことを特徴とする請求項１０乃至請求項１１のいずれかに記載の方法。
【請求項１３】
移動可能な機械的部材（２６，２８）上で明確にマークされた初期位置に、ベルト付吸収性衣類（１０）を配置する工程、ベルト付吸収性衣類を移動可能な機械的部材（２６，２８）の辺りに、予め定められた力（Ｆ）を使用してベルトを伸ばすことによって固定すること、股部（１３）及び主部パネル（１１，１２）を移動可能な機械的部材（２６，２８）の辺りに包み、第２主部パネル（１２）を少なくとも１つのベルトセクション（１４ａ、１４ｂ）の外部表面に固定する工程、予め定められた錘（３４）をベルト付吸収性衣類（１０）に追加する工程、移動可能な機械的部材（２６，２８）を、予め定められた速度（Ｖ）で、予め定められた回数（Ｎ）、予め定められた距離（Ｘ２−Ｘ１）に離して戻す工程、並びに最終の拡大及び収縮サイクルが完了した後、予め定められた時間その初期位置からのベルト付吸収性製品（１０）の位置を記録する工程を含むことを特徴とする請求項１０乃至請求項１１のいずれかに記載の方法。
【請求項１４】
前記、若しくは各拡大及び収縮サイクルの間、下方ずれ量を決定するために、前記移動可能部材（２６，２８）上、若しくは近接して、垂直スケール（３８）を提供する工程を含むことを特徴とする請求項１０乃至請求項１３のいずれかに記載の方法。
【請求項１５】
請求項１０乃至請求項１４のいずれかに記載の工程が、品質管理測定として、前記製造工程が正しく稼動することを確認することを特徴とする請求項１乃至請求項９のいずれかに記載のベルト付吸収性衣類の製造方法。
【国際調査報告】
2010504143.tif 000027
2010504143.tif 000028
2010504143.tif 000029
2010504143.tif 000030
2010504143.tif 000031
2010504143.tif 000032
2010504143.tif 000033
2010504143.tif 000034
2010504143.tif 000035
2010504143.tif 000036